(57)【要約】【課題】安定した品質の成形品を製造できる、成形用金型、押出成形装置、押出成形方法を提供する。【解決手段】成形用金型４は、熱で粘度が変化する材料１を練り上げた第一中間成形品１ａを押出成形して第二中間成形品１ｂを製造するために使用する成形用金型であって、成形用金型４は、気体又は液体を、第二中間成形品１ｂと成形用金型４の成形品通過穴４１の内壁面との間に噴出する流体噴出口４５を備え、押出成形装置１００は、押出器２と、成形用金型４によって成形された第二中間成形品１ｂを冷却する冷却器８１と、冷却器８１の下流側に備えられ、第二中間成形品１ｂを冷却した成形品１ｃを引き取る引き取り器８２とを備える。【選択図】図１
2016221730.tif 000002
【特許請求の範囲】
【請求項１】
熱で粘度が変化する材料を練り上げた第一中間成形品を押出成形して第二中間成形品を製造するために使用する成形用金型であって、
前記成形用金型は、気体又は液体を、前記第二中間成形品と前記成形用金型の成形品通過穴の内壁面との間に噴出する流体噴出口を備えた成形用金型。
【請求項２】
前記流体噴出口は、前記内壁面に備えられ、前記成形用金型の内部に配設された金型内配管を通って前記気体又は前記液体が、前記流体噴出口に供給される請求項１に記載の成形用金型。
【請求項３】
前記流体噴出口は、前記成形用金型の中央部より、前記第二中間成形品の搬送方向の上流側に設けられている請求項１又は請求項２に記載の成形用金型。
【請求項４】
前記成形用金型の前記成形品通過穴の上流側の端部に、下流側に向かって前記気体又は前記液体を流入させる前記流体噴出口を有する流体噴出具を備えた請求項１に記載の成形用金型。
【請求項５】
前記成形用金型は、前記内壁面に、前記下流側に向かって前記成形品通過穴の内径が小さくなる段部を備え、
前記流体噴出具の開口部の、前記第二中間成形品の搬送方向に垂直な断面形状は、前記成形品通過穴の前記成形用金型の、前記搬送方向に垂直な断面形状と同じである請求項４に記載の成形用金型。
【請求項６】
請求項１から請求項５のいずれか１項に記載の成形用金型と、
前記材料を練り上げて前記第一中間成形品を下流側に押し出す押出器と、
前記成形用金型によって成形された前記第二中間成形品を冷却する冷却器と、
前記冷却器の前記下流側に備えられ、前記第二中間成形品を冷却した成形品を引き取る引き取り器とを備えた押出成形装置。
【請求項７】
前記成形用金型に対して、前記第二中間成形品の搬送方向にかかる力を計測する力検出器を備えた請求項６に記載の押出成形装置。
【請求項８】
前記成形用金型に供給する前記気体又は前記液体の温度を調整する温度調整器を備えた請求項６又は請求項７に記載の押出成形装置。
【請求項９】
請求項８に記載の押出成形装置を用いた押出成形方法において、
押出成形装置の立ち上げ操作において、前記材料を用いた押出成形開始時に前記気体又は前記液体の温度を定常運転時よりも高温に設定し、その後に前記温度を下降させる押出成形方法。
【発明の詳細な説明】
【技術分野】
【０００１】
この発明は、成形用金型、押出成形装置、押出成形方法に関するものである。
【背景技術】
【０００２】
成形形状が複雑な物を製造する押出成形においては、成形物の形状を安定させるため、押出用金型と成形用金型の２つの金型を利用している。まず、押出器により押し出された材料は、押出用金型により概ねの形状を成形され、さらに、下流にある成形用金型により所望の形状に成形される。
【０００３】
押出成形において利用する材料としては、材料の温度が高い場合に軟化し、材料の温度が低い場合に硬化する性質があるものを利用する。押出成形装置として、例えば、特許文献１に示すような装置が提案されている。当該装置では、外観が良好な成形体を成形するために、成形品から発生する揮発成分を吸引する吸引機構を備えている。
【先行技術文献】
【特許文献】
【０００４】
【特許文献１】特開２０１４−１８８８８５号公報
【発明の概要】
【発明が解決しようとする課題】
【０００５】
特許文献１に記載の押出成形装置では、成形用金型の温度が低いような場合に材料が成形用金型内で硬化し、成形用金型内部において成形品が詰まって、押出成形装置が途中で停止したり、あるいは、押出成形装置が故障もしくは破損する場合がある。また、そのような状態に至らなくても成形品が所望の形状とならない場合があった。そこで、これを防止するため成形用金型の温度を上げると、反対に、成形品が軟化し過ぎて所望の形状とならず、やはり成形品の品質が安定しないという課題があった。
【０００６】
この発明は、上記のような課題を解決するためになされたものであり、安定した品質の成形品を製造できる、成形用金型、押出成形装置、押出成形方法を提供することを目的とする。
【課題を解決するための手段】
【０００７】
この発明に係る成形用金型は、
熱で粘度が変化する材料を練り上げた第一中間成形品を押出成形して第二中間成形品を製造するために使用する成形用金型であって、
前記成形用金型は、気体又は液体を、前記第二中間成形品と前記成形用金型の成形品通過穴の内壁面との間に噴出する流体噴出口を備えたものである。
【０００８】
また、この発明に係る押出成形装置は、
上記成形用金型と、
前記材料を練り上げて前記第一中間成形品を下流側に押し出す押出器と、
前記成形用金型によって成形された前記第二中間成形品を冷却する冷却器と、
前記冷却器の前記下流側に備えられ、前記第二中間成形品を冷却した成形品を引き取る引き取り器とを備えたものである。
【０００９】
また、この発明に係る押出成形方法は、
上記押出成形装置に前記成形用金型に供給する前記気体又は前記液体の温度を調整する温度調整器を備え、
前記材料を用いた押出成形開始時に前記気体又は前記液体の温度を定常運転時よりも高温に設定し、押出成形開始後に前記温度を下降させるものである。
【発明の効果】
【００１０】
この発明に係る成形用金型、押出成形装置、押出成形方法によれば、
成形用金型の成形品通過穴の中を通過する第二中間成形品の全周に渡って、第二中間成形品と成形用金型の成形品通過穴の内壁面との間に気体の層を形成でき、第二中間成形品と成形用金型との間の摩擦を低減することが可能となる。これにより、第二中間成形品が成形用金型内で詰まることを防止することもできる。
【図面の簡単な説明】
【００１１】
【図１】この発明の実施の形態１に係る押出成形装置の全体概念図である。
【図２】この発明の実施の形態１に係る成形品の断面図と側面図である。
【図３】この発明の実施の形態１に係る押出成形装置の成形用金型の近傍の詳細を示す図である。
【図４】この発明の実施の形態２に係る押出成形装置の成形用金型の近傍の詳細を示す図である。
【図５】この発明の実施の形態２に係る押出成形装置の立ち上げ工程を示すフローチャートである。
【図６】この発明の実施の形態２に係る成形用金型の気体流入口に流入させる気体温度の変化の例を示す図である。
【図７】この発明の実施の形態３に係る押出成形装置の成形用金型の近傍の詳細を示す図である。
【図８】この発明の実施の形態３に係る力検出器の他の例を示す図である。
【図９】この発明の実施の形態４に係る押出成形装置の成形用金型の近傍の詳細を示す図である。
【図１０】図９に示す気体噴出具の矢印Ｃ−Ｃにおける断面図である。
【図１１】この発明の実施の形態４に係る押出成形装置の変形例を示す図である。
【発明を実施するための形態】
【００１２】
実施の形態１．
以下、本発明の実施の形態１に係る成形用金型、押出成形装置、押出成形方法を図を用いて説明する。なお、本明細書中で「上流側」というときは、成形品が流れる方向の上手側をいう。また、「下流側」とは成形品が流れる方向の下手側をいう。
図１（ａ）は、この発明の実施の形態１に係る押出成形装置１００の全体概念図であり、押出成形装置１００の上面図である。
図１（ｂ）は、図１（ａ）の押出成形装置１００の側面図である。
材料投入器６より投入された材料１は、押出器２へと導かれる。材料１は、加熱することによって柔らかくなる性質を持つものであれば、その素材や材質を問わない。代表的な物に、ポリエチレンやポリプロピレンなどの樹脂材料や、アルミニウムなどの金属材料等がある。
【００１３】
材料１は、押出器２内で加熱しながら練り上げられることで、材質が均一化される。その後、材料１は、押出器２から押出用金型３に導かれる。押出用金型３は、口金と呼ばれこともある。押出用金型３は、完成品である成形品１ｃの概略形状を有する第一中間成形品１ａを形成するために使用される。
【００１４】
次に、押出用金型３で成形された第一中間成形品１ａは、成形用金型４（サイジングダイとも言う）に導かれる。成形用金型４は、第一中間成形品１ａに対して、さらに形状を安定化させる成形を加えて第二中間成形品１ｂを形成する。
【００１５】
成形用金型４から出た第二中間成形品１ｂは、冷却器８１で冷却された後、引き取り器８２にて引き取り、成形品１ｃとなる。冷却器８１は、材料１や成形品１ｃの形状に応じて、水冷や空冷などの方法により、第二中間成形品１ｂを冷却する。
【００１６】
図２（ａ）は、成形品１ｃの搬送方向に垂直な断面を示す断面図である。
図２（ｂ）は、成形品１ｃの側面図である。図２に示す成形品１ｃは、成形品の一例である。
成形品１ｃを押出成形する場合を例とし、本発明を説明する。成形品１ｃは、搬送方向に垂直な断面が、Ｌ字形状の多角柱である。
【００１７】
図３（ａ）、（ｂ）は、押出成形装置１００の成形用金型４の近傍の詳細を示す図である。
図３（ａ）は、図１に示す成形用金型４を図１のＡ−Ａ方向からみた矢視図である。送風器７１ａ、７１ｂとの接続も記載している。
図３（ｂ）は、成形用金型４の側面図である。図３（ｂ）では、送風器７１ａ、７１ｂ及び外部配管９は省略している。
【００１８】
成形用金型４の気体流入口１５ａ、１５ｂは、外部の送風器７１ａ、７１ｂに、外部配管９を介して接続されている。気体流入口１５ａ、１５ｂは、成形用金型４の上面と下面に備えられている。また、成形用金型４は、気体流入口１５ａ、１５ｂに供給された気体を成形用金型４の内部を通して、成形品通過穴４１の内壁面に設けた気体噴出口４５（流体噴出口）から噴出させるために使用する金型内配管４２を備える。
【００１９】
送風器７１ａ、７１ｂから気体流入口１５ａ、１５ｂを通じて第二中間成形品１ｂと、成形用金型４の成形品通過穴４１の内壁面との間に噴出する気体の圧力は、気体が成形品と一緒に成形用金型４の外へ流出し、かつ成形品の形状が安定する圧力とする。この圧力は成形品１ｃの形状や材料１の素材によって変化する。気体の圧力がこの圧力よりも低いと、本発明の効果が得られない。一方、気体の圧力が高過ぎる場合も、成形品１ｃの形状が安定しない。
【００２０】
第二中間成形品１ｂと、成形用金型４の成形品通過穴４１の内壁面との間に気体を噴出させるための気体噴出口４５は、成形用金型４の横から見た図の搬送方向中央もしくは、中央よりも第二中間成形品１ｂが流れる方向（矢印Ｂ）の上流側（図３（ｂ）では紙面左側）に構成するのが良い。
【００２１】
この発明の実施の形態１に係る成形用金型４、押出成形装置１００、押出成形方法によれば、成形用金型４の成形品通過穴４１の中を通過する第二中間成形品１ｂの全周に渡って、第二中間成形品１ｂと、成形用金型４の成形品通過穴４１の内壁面との間に気体の層を形成でき、第二中間成形品１ｂと成形用金型４との間の摩擦を低減することが可能となる。これにより、第二中間成形品１ｂが成形用金型４内で詰まることを防止することができる。
【００２２】
なお、図１においては、成形品１ｃの材料が１種類の例を示しているが、２種類以上の材料を混合して成形する多色成形においても、本発明は適用可能である。
また、図１で示す押出成形装置１００には、図示しない他の構成、例えば材料乾燥器や、材料搬送器、成形品切断器、成形品梱包器などを備えても良い。
【００２３】
また、送風器７１ａ、７１ｂは、気体を送風する機能を有していれば良く、その方法は問わない。送風器７１ａ、７１ｂの例として、圧縮空気製造器等がある。また、図３では気体流入口１５と送風器７１をそれぞれ２個ずつ配置した構成としているが、それぞれ１個でも、またそれぞれ３個以上備えても良いし、また気体流入口１５と送風器７１の数が違う構成としても良い。
また、押出用金型は、更に複数の部品で構成された構成であっても良い。また、成形用金型４も複数の部品で構成された構成であっても良い。
【００２４】
実施の形態２．
以下、本発明の実施の形態２に係る成形用金型、押出成形装置、押出成形方法を図を用いて、実施の形態１と異なる部分を中心に説明する。
図４（ａ）、（ｂ）は、押出成形装置２００の成形用金型４近傍の詳細を示す図である。
実施の形態１の図３（ａ）、（ｂ）に相当する。
図４（ａ）、（ｂ）に示すように、押出成形装置２００は、実施の形態１の構成に加えて、送風器７１ａ、７１ｂと気体流入口１５ａ、１５ｂとの間の外部配管９に、送風器７１ａ、７１ｂから供給される気体の温度を調整する温度調整器７２ａ、７２ｂを備えている。
【００２５】
なお、温度調整器７２ａ、７２ｂの一部もしくは全部の機能が送風器７１ａ、７１ｂに内蔵されていても良い。温度調整器７２ａ、７２ｂは、気体の温度を調整する機能があれば良く、その方法は限定しない。温度調整器７２ａ、７２ｂの例として、加熱ヒーター、ヒートポンプ式冷却器、ペルチェ式冷却器、ペルチェ式加熱器等がある。温度調整器７２ａ、７２ｂには、温度調整コントローラ７３ａ、７３ｂを接続する。温度調整コントローラ７３ａ、７３ｂは、温度調整器７２ａ、７２ｂを操作し、外部配管９の中を通過する気体の温度を一定のアルゴリズムに基づいて自動的に、もしくは手動で調整する機能を有する。
【００２６】
温度調整器７２ａ、７２ｂによって外部配管９を通過する気体の温度を高くし、気体流入口１５ａ、１５ｂから金型内配管４２へ流入する気体温度を高くすると、成形品通過穴４１を通過する第二中間成形品１ｂが柔らかくなり、第二中間成形品１ｂが、成形用金型４内で詰まることを、実施の形態１よりさらに抑制することが可能となる。一方、温度調整器７２ａ、７２ｂによって気体流入口１５ａ、１５ｂに流入する気体温度を低くすると、第二中間成形品１ｂを冷却することが可能となり、実施の形態１よりさらに第二中間成形品１ｂを正確な形状に成形することが可能となる。
【００２７】
図５は、押出成形装置２００の立ち上げ工程を示すフローチャートである。
図６は、気体流入口１５ａ、１５ｂに流入する気体温度の変化の例を示す図である。
図５中で使用する「気体温度」は、図６における「気体温度」と同一である。図６において、横軸は時間を示し、縦軸は気体温度を示している。なお、図６における縦軸及び横軸の数値は一例である。温度や時間は、材料１の種類や成形品１ｃの形状、押出成形装置２００の仕様によって変化させる必要がある。
【００２８】
次に、押出成形装置２００の立ち上げ工程を図５を用いて説明する。
ここで、第二中間成形品１ｂが柔らかくなる温度を１２０度、安定して第二中間成形品１ｂを成形するために必要な温度を３０度とする。押出成形装置２００の立ち上げ工程を開始すると（Ｓ００１）、送風器７１ａ、７１ｂから供給される気体の温度が１２０度になるように（図６参照）、温度調整器７２ａ、７２ｂにより気体温度を上昇させる（Ｓ００２）。気体温度が適正値か否かを判定（Ｓ００３）し、適正値となるまで、温度を上昇させる。気体温度が１２０度となると（Ｓ００３−はい）、押出器２から第一中間成形品１ａを押し出す（Ｓ００４）。
【００２９】
このとき、最初は成形用金型４の温度が高いため、第二中間成形品１ｂの形状は安定しないが、成形用金型４で詰まることなく成形が可能となる。この状態で、形状の安定しない第二中間成形品１ｂの先端を冷却器８１に通し、更に、第二中間成形品１ｂを引き取り器８２に通した後（Ｓ００５）、成形用金型４の気体温度が３０度まで低下するように気体温度を下降させる（図６参照、Ｓ００６）。この結果、第二中間成形品１ｂの形状が安定すると（Ｓ００８）、押出成形立ち上げ作業を終了し（Ｓ００９）定常運転に移行する。
【００３０】
気体温度を下げる過程（Ｓ００６）において、第二中間成形品１ｂが、成形用金型４内において詰まった場合は（Ｓ００７−はい）、押出成形条件を変更し（Ｓ０１０）、再度、気体温度が高い状態より開始する。ここで述べた押出成形条件とは、押出器２の樹脂押出速度や押出器２から押し出される樹脂の温度、材料１に含有される水分量や環境温度、環境湿度などである。
【００３１】
この発明の実施の形態２に係る成形用金型４、押出成形装置２００、押出成形方法によれば、送風器７１ａ、７１ｂから成形用金型４内に噴射する気体の温度を制御して押出成形装置の立ち上げ工程を実行することにより、押出成形装置の立ち上げ直後に発生しやすい成形用金型４内での第二中間成形品１ｂの詰まりを効果的に防止することができる。
【００３２】
実施の形態３．
以下、本発明の実施の形態３に係る成形用金型、押出成形装置、押出成形方法を図を用いて、実施の形態１と異なる部分を中心に説明する。
図７（ａ）、（ｂ）は、押出成形装置３００の成形用金型４近傍の詳細を示す図である。
実施の形態１の図３（ａ）、（ｂ）に相当する。
【００３３】
図に示すように、成形用金型４は、力検出器４３を介して成形用金型台４４に取り付けられている。力検出器４３は、押出成形工程において、成形用金型４に対して第二中間成形品１ｂの搬送方向にかかる力を測定する。力検出器４３は、第二中間成形品１ｂが、成形用金型４の成形品通過穴４１を通過する際に、第二中間成形品１ｂと成形品通過穴４１との間に生じる摩擦もしくは粘着力もしくはそれらの両方により発生する力を検出する機能を有する装置であれば、その測定原理は限定しない。力検出器４３の例として、ロードセル型検出器、ばね型検出器、静電容量変化による検出器等がある。
【００３４】
図８は、力検出器の他の例を示す図である。
力検出器４３と成形用金型４の位置関係は、図７で示す位置以外でも良く、例えば、図８に示すように、成形用金型台４４ｂと成形用金型４の間に力検出器４３ｂを挟む構成としてもよく、第二中間成形品１ｂが成形品通過穴４１を通過する際に、第二中間成形品１ｂと成形品通過穴４１との間に生じる摩擦もしくは粘着力もしくはそれらの両方により発生する力を検出できれば、測定位置は限定しない。
【００３５】
この発明の実施の形態３に係る成形用金型４、押出成形装置３００、押出成形方法によれば、力検出器４３で測定した力が、事前に設定した値を超えた場合、もしくは力検出器４３で測定した力の時間微分の値が、事前に設定した値を超えた場合、もしくは力検出器４３で測定した力の時間のｎ階微分値が、事前に設定した値を超えた場合、もしくはこれらの組み合わせによる条件に該当する場合に、第二中間成形品１ｂの成形用金型４内での詰まりを予測し、温度調整コントローラ７３ａ、７３ｂにより外部配管９を通過する気体温度を高くし、これらの事象を解消する。当該事象が完全に解消した場合は、再度温度調整コントローラ７３ａ、７３ｂにより外部配管９を通過する気体温度を低くして、第二中間成形品１ｂの成形用金型４内での移動を促進し、第二中間成形品１ｂを正確な形状に成形することが可能となる。
【００３６】
実施の形態４．
以下、本発明の実施の形態４に係る成形用金型、押出成形装置、押出成形方法を図を用いて、実施の形態１と異なる部分を中心に説明する。
図９（ａ）、（ｂ）は、押出成形装置４００の成形用金型４０４近傍の詳細を示す図である。
実施の形態１の図３（ａ）、（ｂ）に相当するが、図（ａ）と図（ｂ）の配置は、左右が逆である。また、図９（ｂ）では、気体噴出具４１５を省略している。
【００３７】
図９に示すように、本実施の形態では、成形用金型４０４内に第二中間成形品１ｂの移動方向と同一方向へ気体を噴出させる構成としている。
【００３８】
図１０は、図９に示す気体噴出具４１５の矢印Ｃ−Ｃにおける断面図である。成形用金型４０４は、搬送方向の上流側端部に気体噴出具４１５を備える。気体噴出具４１５は、押出成形用金型４０４の成形品通過穴４４１と同形状の開口部Ｋを有する。そしてこの開口部Ｋの周りに無数の気体噴出口４４５を備える。また、成形用金型４０４の成形品通過穴４４１の内壁面に、下流側に向かって成形品通過穴４４１の内径が小さくなる段部Ｄを設ける。
【００３９】
この段部Ｄ部分を用いて、成形品通過穴４４１を通過する第二中間成形品１ｂの流れに沿って、気体を成形用金型４０４内へ噴出することで、第二中間成形品１ｂと成形用金型４０４の成形品通過穴４４１の内壁面との摩擦を減らし、第二中間成形品１ｂの詰まりを防止する。送風器７１から送られた気体は、外部配管９を通り、成形品通過穴４４１の上流側端部Ｔに取り付けた気体噴出具４１５（流体噴出具）から第二中間成形品１ｂと成形用金型４０４の成形品通過穴４４１の内壁面との間に噴出される。
【００４０】
この発明の実施の形態４に係る成形用金型４０４、押出成形装置４００、押出成形方法によれば、外部配管９から気体噴出具４１５に供給された気体を、気体噴出口４４５から成形用金型４０４の成形品通過穴４４１の内壁面に沿って噴出させ、第二中間成形品１ｂと、成形用金型４０４の成形品通過穴４４１の内壁面との間に均等に流入させることが可能となる。これにより、成形用金型４０４の内部を、上流側から下流側に向かって、第二中間成形品１ｂをスムーズに移動させることができる。また、成形用金型４０４及び気体噴出具４１５をこのような形状とすることで、成形用金型４０４の内部に配管を設ける必要がなく、成形用金型４０４の構成が単純になり、金型の製造コストを削減できる。
【００４１】
なお、第二中間成形品１ｂと成形用金型４０４の成形品通過穴４４１の内壁面との間に気体を流入させる機能があれば、穴の数や形状を図１０の数及び形状に限定しないことは言うまでもない。
図１１は、図１０の構造に加えて、送風器７１と気体噴出具４１５の間に温度調整器７２をもうけた押出成形装置４００ａの構成を示す図である。押出成形装置をこのような構成としても良い。さらに、温度調整器７２の一部もしくは全部の機能を送風器７１に内蔵させても良い。また、温度調整器７２の一部もしくは全部の機能を気体噴出具４１５に内蔵されても良い。
【００４２】
また、実施の形態１〜実施の形態４において、第二中間成形品１ｂと、成形用金型４、４０４の成形品通過穴４１、４４１の内壁面との間に噴出する物質を気体ではなく液体としても良い。この場合、各実施の形態において、「送風器」は、「液体送出器」に、「気体流入口」は、「液体流入口」に、「気体噴出口」は、「流体噴出口」に、「気体噴出具」は、「液体噴出具」に読み替える。液体の例として、潤滑油がある。
【００４３】
液体は、気体に比べて外部圧力による体積変化が少ないため、噴出させる物質を液体とすることで、第二中間成形品１ｂが成形用金型４、４０４を通過する時に、成形用金型４、４０４から受ける力を均一にする効果がある。これにより、第二中間成形品１ｂの形状をより正確に成形することが可能となる。
【００４４】
さらに、一般に液体は気体に比べて熱伝導率が良いため、成形用金型４、４０４の温度を変化させた場合に、成形用金型４、４０４全体の温度が安定するまでにかかる時間を短縮することが可能となり、成形品１ｃの製造に必要なタクトタイムを短縮できる効果がある。
【００４５】
尚、本発明は、その発明の範囲内において、各実施の形態を自由に組み合わせたり、各実施の形態を適宜、変形、省略することが可能である。
【符号の説明】
【００４６】
１００，２００，３００，４００，４００ａ  押出成形装置、１  材料、
１ａ  第一中間成形品、１ｂ  第二中間成形品、１ｃ  成形品、
２  押出器、３  押出用金型、１５，１５ａ，１５ｂ  気体流入口、
４１５  気体噴出具、４，４０４  成形用金型、４１，４４１  成形品通過穴、
４２  金型内配管、４３，４３ｂ  力検出器、４４，４４ｂ  成形用金型台、
４５，４４５  気体噴出口、６  材料投入器、８１  冷却器、８２  引き取り器、
９  外部配管、７１，７１ａ，７１ｂ  送風器、７２，７２ａ，７２ｂ  温度調整器、
７３ａ，７３ｂ  温度調整コントローラ、Ｄ  段部、Ｋ  開口部。
【図１】
2016221730.tif 000003
【図２】
2016221730.tif 000004
【図３】
2016221730.tif 000005
【図４】
2016221730.tif 000006
【図５】
2016221730.tif 000007
【図６】
2016221730.tif 000008
【図７】
2016221730.tif 000009
【図８】
2016221730.tif 000010
【図９】
2016221730.tif 000011
【図１０】
2016221730.tif 000012
【図１１】
2016221730.tif 000013